(57)【特許請求の範囲】
【請求項１】
手摺支柱の下端部を手摺設置部にブラケットを用いて固定する手摺支柱の固定構造であって、
上記ブラケットは、
上記手摺設置部にアンカーによって固定されるベース部と、
上記ベース部上に上記支柱の下端部の三方面を包囲すべく立設される支柱挿入壁と、
上記支柱挿入壁の開口側に面して上記支柱挿入壁内に挿入される上記支柱に所定の間隔をおいて立設される挟持壁と、が設けられ、
上記支柱挿入壁における上記挟持壁と対向する上部側部位の左右両側に一対の貫通孔が設けられ、
上記挟持壁の外側面を包囲して上記貫通孔を貫通する挟持部材の突出部をねじ固定による締付けにより上記挟持壁を上記支柱挿入壁側に移動させ、上記支柱の下端部を挟持固定する、ことを特徴とする手摺支柱の固定構造。
【請求項２】
請求項１記載の手摺支柱の固定構造において、
上記挟持壁は外側面が膨隆する半円柱状に形成され、上記挟持部材は、上記挟持壁の外側面に対応した円弧部を有するＵ字ボルトにて形成され、該Ｕ字ボルトの両端部に設けられたねじ部にナットが螺合される、ことを特徴とする手摺支柱の固定構造。
【請求項３】
請求項１又は２に記載の手摺支柱の固定構造において、
上記支柱挿入壁における上記挟持壁と対向する壁部の上部側に、高さ固定用ねじ孔を貫穿し、上記支柱の高さ調整後に、上記高さ固定用ねじ孔に支柱高さ固定用ねじを螺挿して上記支柱を固定する、ことを特徴とする手摺支柱の固定構造。
【請求項４】
請求項１ないし３のいずれかに記載の手摺支柱の固定構造において、
上記挟持壁及び該挟持壁と対向する上記支柱挿入壁における壁部の下部側の対向する部位に、それぞれ角度調整用ねじ孔を貫穿し、上記角度調整用ねじ孔に螺挿される一対の角度調整用ボルトを進退移動させて上記支柱の側面に当接することにより上記支柱の角度を調整する、ことを特徴とする手摺支柱の固定構造。
【請求項５】
請求項１ないし３のいずれかに記載の手摺支柱の固定構造において、
上記支柱は中空状に形成されており、上記支柱の少なくとも上記支柱挿入壁内に挿入される部分を含む下端側の中空部には、上記挟持壁と該挟持壁と対向する上記支柱挿入壁の壁部に対向する辺を連結する補強部材が設けられ、上記挟持壁及び該挟持壁と対向する上記支柱挿入壁における壁部の下部側の対向する部位に、それぞれ角度調整用ねじ孔を貫穿し、上記角度調整用ねじ孔に螺挿される一対の角度調整用ボルトを進退移動させて上記支柱の下端部より突出する上記補強部材の側面に当接することにより上記支柱の角度を調整する、ことを特徴とする手摺支柱の固定構造。
【請求項６】
請求項１ないし５のいずれかに記載の手摺支柱の固定構造において、
上記ブラケットのベース部と上記手摺設置部との間に介在されるスペーサを更に具備し、上記スペーサは、上記ベース部を載置する面が上記支柱挿入壁と上記挟持壁とが対向する方向に傾斜している、ことを特徴とする手摺支柱の固定構造。
【請求項７】
請求項１ないし６のいずれかに記載の手摺支柱の固定構造において、
上記ブラケットを包囲するカバーを更に具備し、上記カバーは、上記ブラケットの左右半分を包囲すると共に、上記支柱を包囲する切欠部を有する一対のカバー半体からなり、上記カバー半体は、カバー半体同士の接合面に互いに係合する接合凸部と接合凹部を有すると共に、上記ブラケットの上面に突設された係止突起に係合する係止凹部を有し、かつ、上記ベース部に設けられたねじ孔に螺合する固定ねじの貫通孔を有する、ことを特徴とする手摺支柱の固定構造。
【発明の詳細な説明】
【技術分野】
【０００１】
この発明は、例えばベランダに設置される手摺支柱の下端部を手摺設置部にブラケットを用いて固定する手摺支柱の固定構造に関するものである。
【背景技術】
【０００２】
一般に、集合住宅等のベランダに設置される手摺は、風雨に晒されるため、経年により金属部品が錆びて腐食し、また、手摺支柱内に溜まった雨水により手摺をベランダに固定するアンカーの錆びによるコンクリートの亀裂破壊など、使用上問題となる現象が発生する。
【０００３】
このような原因による事故が発生する前に、ベランダ手摺自体を交換する必要があるが、既に住人が居住している中での工事となるため、短工期かつ低騒音な施工が求められている。
【０００４】
従来、手摺支柱の下端部を手摺設置部にブラケットを用いて固定する手摺支柱の固定構造として、特許文献１，２に記載の構造のものが知られている。
【０００５】
特許文献１に記載のものは、ブラケットに設けられた一対の起立壁に螺挿される押付ねじの挟圧保持によって手摺支柱を固定するか、又は、押付ねじの挟圧保持に代えてあるいは押付ねじの挟圧保持に加えて、一対の起立壁の直交方向の対向する一対の固定壁を介して配設された貫通ボルトとナットの締着によって手摺支柱を固定する構造である。
【０００６】
一方、特許文献２に記載のものは、一対の起立壁を有するＵ字状ブラケットと、該ブラケットの一対の起立壁間に回動自在に配置される回動スペーサと、回動スペーサの一対の起立壁間に下端を挿入した中空手摺支柱と、該中空手摺支柱の中空下端部に嵌合した中空補強材と、該中空補強材の中空部に挿入した一対のナットと、ブラケットの一対の起立壁から、ブラケット，回動スペーサ，中空手摺支柱及び中空補強材にそれぞれ設けられた透孔を介して一対のナットに締着する締着ボルトによって引き寄せ締着する構造である。
【先行技術文献】
【特許文献】
【０００７】
【特許文献１】特許第２８５０２９２号公報
【特許文献２】特許第５３９６６６１号公報
【発明の概要】
【発明が解決しようとする課題】
【０００８】
しかしながら、特許文献１に記載の一対の起立壁に螺挿される押付ねじの挟圧保持によって手摺支柱を固定する構造では、十分な強度が得られず、手摺支柱が変形する懸念がある。
【０００９】
特許文献１に記載の一対の起立壁の直交方向の対向する一対の固定壁を介して配設された貫通ボルトとナットの締着によって手摺支柱を固定する構造や、特許文献２に記載の固定構造によれば、挟圧保持による固定に比べて強度をもたせることができるが、この構造のものは、いずれも手摺支柱に孔開け加工を施す必要があるため、施工が面倒であるという懸念がある。
【００１０】
この発明は、上記事情に鑑みてなされたもので、手摺支柱に加工を施すことなく、強固かつ容易に固定することができる手摺支柱の固定構造を提供する。
【課題を解決するための手段】
【００１１】
上記課題を解決するために、この発明に係る手摺支柱の固定構造は、手摺支柱の下端部を手摺設置部にブラケットを用いて固定する手摺支柱の固定構造であって、上記ブラケットは、上記手摺設置部にアンカーによって固定されるベース部と、上記ベース部上に上記支柱の下端部の三方面を包囲すべく立設される支柱挿入壁と、上記支柱挿入壁の開口側に面して上記支柱挿入壁内に挿入される上記支柱に所定の間隔をおいて立設される挟持壁と、が設けられ、上記支柱挿入壁における上記挟持壁と対向する上部側部位の左右両側に一対の貫通孔が設けられ、上記挟持壁の外側面を包囲して上記貫通孔を貫通する挟持部材の突出部をねじ固定による締付けにより上記挟持壁を上記支柱挿入壁側に移動させ、上記支柱の下端部を挟持固定する、ことを特徴とする（請求項１）。この場合、上記挟持壁は外側面が膨隆する半円柱状に形成され、上記挟持部材は、上記挟持壁の外側面に対応した円弧部を有するＵ字ボルトにて形成され、該Ｕ字ボルトの両端部に設けられたねじ部にナットが螺合されるのが好ましい（請求項２）。
【００１２】
このように構成することにより、挟持壁の外側面を包囲して支柱挿入壁に設けられた貫通孔を貫通する挟持部材の突出部をねじ固定による締付けにより挟持壁を支柱挿入壁側に移動させて支柱の下端部を挟持固定することができる。この場合、挟持壁を外側面が膨隆する半円柱状に形成し、挟持部材を、挟持壁の外側面に対応した円弧部を有するＵ字ボルトにて形成し、該Ｕ字ボルトの両端部に設けられたねじ部にナットを螺合することで、更に確実に支柱の下端部を挟持固定することができると共に、支柱に加わる荷重を分散させて固定することができる（請求項２）。
【００１３】
この発明において、上記支柱挿入壁における上記挟持壁と対向する壁部の上部側に、高さ固定用ねじ孔を貫穿し、上記支柱の高さ調整後に、上記高さ固定用ねじ孔に支柱高さ固定用ねじを螺挿して上記支柱を固定するのが好ましい（請求項３）。
【００１４】
このように構成することにより、支柱挿入壁と挟持壁との間に挿入される支柱を上下移動して高さ調整を行った後、高さ固定用ねじ孔に螺挿される支柱高さ固定用ねじを支柱の側面に当接して支柱を固定することができる。
【００１５】
また、この発明において、上記挟持壁及び該挟持壁と対向する上記支柱挿入壁における壁部の下部側の対向する部位に、それぞれ角度調整用ねじ孔を貫穿し、上記角度調整用ねじ孔に螺挿される一対の角度調整用ボルトを進退移動させて上記支柱の側面に当接することにより上記支柱の角度を調整するのが好ましい（請求項４）。
【００１６】
このように構成することにより、支柱挿入壁と挟持壁との間に挿入される支柱の下端部側面に一対の角度調整用ボルトを進退移動させて当接させるので、支柱の挿入部における上部の移動を最小限にして支柱の角度を調整して支柱を鉛直状に設置することができる。
【００１７】
また、この発明において、上記支柱を中空状に形成した場合は、上記支柱の少なくとも上記支柱挿入壁内に挿入される部分を含む下端側の中空部には、上記挟持壁と該挟持壁と対向する上記支柱挿入壁の壁部に対向する辺を連結する補強部材が設けられ、上記挟持壁及び該挟持壁と対向する上記支柱挿入壁における壁部の下部側の対向する部位に、それぞれ角度調整用ねじ孔を貫穿し、上記角度調整用ねじ孔に螺挿される一対の角度調整用ボルトを進退移動させて上記支柱の下端部より突出する上記補強部材の側面に当接することにより上記支柱の角度を調整するのが好ましい（請求項５）。
【００１８】
このように構成することにより、中空状の支柱に強度をもたせることができると共に、支柱に圧痕を残すことなく支柱の角度を調整して支柱を鉛直状に設置できる。また、支柱挿入壁と挟持壁との間に挿入される支柱の下端部より突出する補強部材の側面に一対の角度調整用ボルトを進退移動させて当接させるので、支柱の挿入部における上部の移動を最小限にして支柱の角度を調整することができる。
【００１９】
また、この発明において、上記ブラケットのベース部と上記手摺設置部との間に介在されるスペーサを更に具備し、上記スペーサは、上記ベース部を載置する面が上記支柱挿入壁と上記挟持壁とが対向する方向に傾斜しているのが好ましい（請求項６）。
【００２０】
このように構成することにより、手摺設置部の上面の傾斜角度が大きい場合においても、手摺設置部の上面の傾斜に対応して支柱を鉛直状に設置することができる。
【００２１】
加えて、この発明において、上記ブラケットを包囲するカバーを更に具備し、上記カバーは、上記ブラケットの左右半分を包囲すると共に、上記支柱を包囲する切欠部を有する一対のカバー半体からなり、上記カバー半体は、カバー半体同士の接合面に互いに係合する接合凸部と接合凹部を有すると共に、上記ブラケットの上面に突設された係止突起に係合する係止凹部を有し、かつ、上記ベース部に設けられたねじ孔に螺合する固定ねじの貫通孔を有するのが好ましい（請求項７）。
【００２２】
このように構成することにより、カバー半体同士を接合させ、固定ねじをカバー半体に設けられた貫通孔を介してベース部に設けられたねじ孔に螺合して、ブラケットに取り付けることができ、ブラケットの外部をカバーによって覆うことができる。
【発明の効果】
【００２３】
この発明によれば、上記のように構成されているので、以下のような優れた効果が得られる。
【００２４】
（１）請求項１記載の発明によれば、挟持部材の締付けにより挟持壁を支柱挿入壁側に移動させて支柱の下端部を挟持固定することができるので、支柱に孔開け加工等を施すことなく、支柱を強固かつ容易に固定することができる。
【００２５】
（２）請求項２記載の発明によれば、上記（１）に加えて、更に確実に支柱の下端部を挟持固定することができると共に、支柱に加わる荷重を分散させて支柱の変形を防止することができる。
【００２６】
（３）請求項３記載の発明によれば、支柱挿入壁と挟持壁との間に挿入される支柱を上下移動して高さ調整を行った後、高さ固定用ねじ孔に螺挿される支柱高さ固定用ねじを支柱の側面に当接して支柱を固定することができるので、上記（１），（２）に加えて、更に支柱の高さ調整を容易にすることができる。
【００２７】
（４）請求項４記載の発明によれば、上記（１）〜（３）に加えて、更に支柱の挿入部における上部の移動を最小限にして支柱の角度を調整して支柱を鉛直状に設置することができる。
【００２８】
（５）請求項５記載の発明によれば、上記（１）〜（３）に加えて、中空状の支柱に強度をもたせることができると共に、支柱に圧痕を残すことなく支柱の角度を調整して支柱を鉛直状に設置できる。また、支柱の挿入部における上部の移動を最小限にして支柱の角度を調整して支柱を鉛直状に設置することができる。
【００２９】
（６）請求項６記載の発明によれば、上記（１）〜（５）に加えて、更に手摺設置部の上面の傾斜角度が大きい場合においても、手摺設置部の上面の傾斜に対応して支柱を鉛直状に設置することができる。
【００３０】
（７）請求項７記載の発明によれば、カバー半体同士を接合させ、固定ねじをカバー半体に設けられた貫通孔を介してベース部に設けられたねじ孔に螺合して、ブラケットに取り付けるので、上記（１）〜（６）に加えて、更に支柱固定後に容易にブラケットの外部をカバーによって覆うことができる。
【図面の簡単な説明】
【００３１】
【図１】この発明に係る手摺支柱の固定構造の一部を示す斜視図である。
【図２】図１の拡大横断面図である。
【図３】この発明に係る手摺支柱の固定構造の半分を断面で示す左側面図である。
【図４】この発明に係る手摺支柱の固定構造の半分を断面で示す右側面図である。
【図５】この発明に係る手摺支柱の固定構造の構成部材を示す分解斜視図である。
【図５Ａ】この発明におけるブラケットの別の形態を示す斜視図である。
【図６】この発明におけるカバー半体を示す斜視図（ａ）、（ａ）のＩ−Ｉ線に沿う断面図（ｂ）、（ａ）のII−II線に沿う断面図（ｃ）及び（ａ）のIII−III線に沿う断面図（ｄ）である。
【図７】手摺設置部が平面の場合の設置状態を示す縦断面図（ａ）及び（ａ）のIV部拡大断面図（ｂ）である。
【図８】手摺設置部が傾斜する場合の設置状態を示す縦断面図である。
【図９】手摺設置部が傾斜する場合のスペーサを用いた設置状態を示す縦断面図である。
【図１０】ベランダの出隅部に手摺支柱を設置する場合の分解斜視図である。
【図１１】ベランダの入隅部に手摺支柱を設置する場合の分解斜視図である。
【図１２】この発明の別の実施形態の異なる手摺支柱の設置状態を示す縦断面図である。
【発明を実施するための形態】
【００３２】
以下に、この発明に係る手摺支柱の固定構造の実施形態を添付図面に基づいて詳細に説明する。ここでは、この発明に係る手摺支柱の固定構造をベランダ用手摺に適用した場合について説明する。
【００３３】
図１ないし図５に示すように、上記ベランダ用手摺は、手摺支柱１０の下端部をベランダのコンクリート製の手摺設置部１にブラケット２０を用いて固定されている。
【００３４】
上記手摺支柱１０（以下に支柱１０という）は、例えばアルミ合金製の四角筒状の押出形材にて形成されており、支柱１０の対向する２辺の内側面には長手方向に沿う互いに平行な凸条１１ａによって嵌合溝部１１が形成されており、支柱１０の下端部側の両嵌合溝部１１には鋼製の板状の補強部材１２が嵌挿され、支柱１０の対向する２面に補強部材１２が連結される。この場合、補強部材１２の下部は支柱１０の下端より下方に突出し、上部は手摺の支柱ピッチ（支柱スパン）や支柱１０の先端に加わる荷重等を考慮してブラケット２０で固定される部分より上方に所定の長さの位置まで延びた状態で取り付けられている。このように構成することにより、中空状の支柱１０に強度をもたせることができる。なお、補強部材１２の下端部は、傾斜している（図７〜図９参照）。なお、補強部材１２の下端部を傾斜させた理由は、手摺設置部１の設置面が外方側からベランダ側に向かって水切り角度（水勾配）を有するので、支柱１０が角度調整により傾斜した際に、後述する角度調整用ねじ孔２７ａに螺合された角度調整用ボルト２８の先端が補強部材１２の下端を外れるのを防止するためである。
【００３５】
ブラケット２０はアルミニウム合金製ダイカストにて形成されており、手摺設置部１に４本のアンカー２（具体的には、アンカーボルト２ａ）によって固定される矩形状のベース部２１と、ベース部２１上に支柱の下端部の三方面を包囲すべく立設される支柱挿入壁２２と、支柱挿入壁２２の側方の開口側に面して支柱挿入壁２２内に挿入される支柱１０との間に所定の間隔（隙間）をおいて立設される挟持壁２３と、が設けられている。この場合、支柱挿入壁２２は、対向する一対の側壁部２２ａと、両側壁部２２ａの一端側同士を連結すると共に側壁部２２ａより上方に伸びる壁部２２ｂとからなる平面視がコ字状に形成されている。また、挟持壁２３は、支柱挿入壁２２の側方の開口側の両側壁部２２ａ間に位置し、外側面が膨隆する半円柱状に形成されている。上記のように構成される支柱挿入壁２２と挟持壁２３とで支柱挿入部２４が形成される。なお、ベース部２１における両側壁部２２ａより外側の辺部には、後述するカバー５０を構成するカバー半体５１ａ，５１ｂを固定する固定ねじ５６が螺合可能なねじ孔２１ａを有するねじ受け部２１ｂが立設され、ねじ受け部２１ｂを挟んだ両側にはアンカーボルト２ａが挿通可能な長孔２１ｃが設けられている。また、ベース部２１の４箇所の角部には、後述するＬ字状ライナー６１の固定用ねじ孔２１ｄが設けられている。
【００３６】
また、支柱挿入壁２２における挟持壁２３と対向する上部側部位の左右両側に一対の貫通孔２２ｃが設けられ、挟持壁２３の外側面を包囲して貫通孔２２ｃを貫通する挟持部材３０の突出部をねじ固定による締付けにより挟持壁２３を支柱挿入壁２２側に移動させて、支柱１０の下端部が挟持固定されるようになっている。この場合、挟持部材３０は、挟持壁２３の外側面に対応した円弧部３０ｂを有するＵ字ボルト３０ａにて形成され、該Ｕ字ボルト３０ａの両端部に設けられたねじ部３０ｃに締結用のナット３１が螺合されることで、締付けにより挟持壁２３を支柱挿入壁２２側に移動させて、支柱１０の下端部が挟持固定される。なお、ブラケット２０の支柱挿入部２４に挿入される支柱１０は、補強部材１２を嵌挿した面が支柱挿入壁２２の壁部２２ｂと挟持壁２３の間に位置すると共に、補強部材１２の下端部の傾斜が挟持壁２３側に位置するようにして挿入される。
【００３７】
支柱挿入壁２２における挟持壁２３と対向する壁部２２ｂの上部側の中間部に、高さ固定用ねじ孔２５が貫穿されている。この高さ固定用ねじ孔２５に、六角穴付き剣先ねじにて形成される支柱高さ固定用ねじ２６（以下に高さ固定用ねじ２６という）が螺挿される。支柱１０がブラケット２０の支柱挿入部２４に挿入された後、高さ固定用ねじ２６の尖端部を支柱１０の側面に当接して支柱１０を高さ調整可能に固定することができる。
【００３８】
一方、挟持壁２３及び該挟持壁２３と対向する支柱挿入壁２２における壁部２２ｂの下部側の対向する部位に、それぞれ角度調整用ねじ孔２７ａ，２７ｂが貫穿されている。これら角度調整用ねじ孔２７ａ，２７ｂには、六角穴付きの角度調整用ボルト２８が螺挿される。この場合、支柱挿入壁２２の壁部２２ｂに貫穿される角度調整用ねじ孔２７ａは、外側から内側に向かって斜め下方に傾斜している。その傾斜角は８度である。一方、挟持壁２３に貫穿される角度調整用ねじ孔２７ｂは、挟持壁２３に対して直交状に設けられている。支柱挿入壁２２の壁部２２ｂに貫穿される角度調整用ねじ孔２７ａを斜め下方に傾斜させた理由は、手摺設置部１の設置面が外方側からベランダ側に向かって水切り角度（水勾配）を有するので、支柱１０を鉛直状に設置するにはベランダの外側に支柱１０を傾斜させる際、角度調整用ねじ孔２７ａに螺挿される角度調整用ボルト２８の先端を確実に支柱１０に当接できるようにするためである。
【００３９】
上記のように形成される角度調整用ねじ孔２７ａ，２７ｂに螺挿される一対の角度調整用ボルト２８を進退移動させて支柱１０の下端部より突出する補強部材１２の側面に当接することにより支柱１０の角度を調整することができる。この場合、手摺設置部１の設置面の水切り角度（水勾配：概ね８度程度）と、ブラケット２０が大きくなるデメリットを考慮して、支柱１０の傾斜の角度調整幅は０〜７度としてある。
【００４０】
したがって、図７に示すように、手摺設置部１の設置面が水平である場合は、支柱１０の下端部をブラケット２０の支柱挿入部２４に挿入し、高さ固定用ねじ２６の尖端部を支柱１０の側面に当接して支柱１０を高さ調整した後、角度調整用ねじ孔２７ａ，２７ｂに螺挿される一対の角度調整用ボルト２８を進退移動させて支柱１０の下端部より突出する補強部材１２の側面に当接して支柱１０を鉛直状態に固定することができる。これにより、支柱１０に圧痕を残すことなく支柱１０の角度を調整して支柱１０を鉛直状に設置できる。
【００４１】
上記のようにして、補強部材１２を嵌挿した支柱１０は高さ固定用ねじ２６によって固定され、支柱１０に固定されていない補強部材１２は角度調整用ボルト２８によって固定される。
【００４２】
また、図８に示すように、手摺設置部１の設置面が７度以内で傾斜している場合は、支柱１０の下端部をブラケット２０の支柱挿入部２４に挿入し、高さ固定用ねじ２６の尖端部を支柱１０の側面に当接して支柱１０を高さ調整した後、角度調整用ねじ孔２７ａ，２７ｂに螺挿される一対の角度調整用ボルト２８を進退移動させて支柱１０の下端部より突出する補強部材１２の側面に当接して支柱１０の角度を調整して鉛直状態に固定することができる。この際、支柱１０は、ブラケット２０の上部側に位置する高さ固定用ねじ２６を支点として下端側が変位するので、ブラケット２０の支柱挿入部２４の開口側においては支柱１０の変位を小さくすることができる。なおこの場合、挟持壁２３及び挟持壁２３に対向する壁部２２ｂの支柱挿入面側には、上下方向に凸円弧状の円弧面２９が形成されており、円弧面２９の頂点に高さ固定用ねじ２６が位置している（図７参照）。
【００４３】
なお、手摺設置部１の設置面の水切り角度（水勾配）が８度より大きい場合、例えば水切り角度（水勾配）が最大１５度である場合に対応させるためには、ブラケット２０のベース部２１と手摺設置部１との間にスペーサ４０を介在させる必要がある。
【００４４】
この場合、スペーサ４０はアルミ合金製ダイキャストにて形成され、ベース部２１を載置する面が支柱挿入壁２２の壁部２２ｂと挟持壁２３とが対向する方向に傾斜する傾斜角が８度の傾斜面４１を有する矩形ブロック状に形成されている。また、スペーサ４０は、内方の中心に対して対称の４箇所に矩形孔４２が設けられ、傾斜方向と直交する対向辺部の中心部には、スペーサ４０をブラケット２０のベース部２１に固定するスペーサ固定ねじ（図示せず）を貫挿する貫通孔４３を有するボス部４４が突設され、ボス部４４の両側にはアンカーボルト２ａが挿通可能な長孔４５が設けられている。スペーサ４０は、ボス部４４の貫通孔４３に貫挿される上記スペーサ固定ねじ（図示せず）をベース部２１の底面に設けられたねじ孔（図示せず）に螺合してブラケット２０の底部に固定される。
【００４５】
図９に示すように、手摺設置部１の設置面が最大１５度傾斜している場合は、上記のように構成されるスペーサ４０を用いて支柱１０を鉛直状に設置することができる。すなわち、ブラケット２０の下部にスペーサ４０を固定して手摺設置部１にアンカー固定した後、支柱１０の下端部をブラケット２０の支柱挿入部２４に挿入し、高さ固定用ねじ２６の尖端部を支柱１０の側面に当接して支柱１０を高さ調整した後、角度調整用ねじ孔２７ａ，２７ｂに螺挿される一対の角度調整用ボルト２８を進退移動させて支柱１０の下端部より突出する補強部材１２の側面に当接して支柱１０の角度を調整して鉛直状態に固定することができる。
【００４６】
また、ブラケット２０の外部はカバー５０によって包囲されている。このカバー５０は、ブラケット２０の左右半分を包囲すると共に、支柱１０を包囲する切欠部５２を有する一対のカバー半体５１ａ，５１ｂによって構成されている。この場合、カバー半体５１ａ，５１ｂは、例えばアルミニウム合金を絞り加工したもの、あるいは、合成樹脂を射出成形したものを使用することができる。
【００４７】
上記カバー半体５１ａ，５１ｂは、カバー半体５１ａ，５１ｂ同士の接合面に互いに係合する接合凸部５３ａと接合凹部５３ｂを有すると共に、ブラケット２０の上面に突設された係止突起２０ａに係合する係止凹部５４を有し、かつ、ベース部２１に設けられたねじ孔２１ａに螺合する固定ねじ５６の貫通孔５５を有している。この場合、一方のカバー半体５１ａは、図６に示すように、切欠部５２を挟んだ接合面の一方に接合凸部５３ａを設け、他方に接合凹部５３ｂを設けている。また、他方のカバー半体５１ｂは、切欠部５２を挟んだ接合面の一方に、カバー半体５１ａの接合面に設けられた接合凸部５３ａと係合可能な接合凹部５３ｂが設けられ、他方にカバー半体５１ａの接合面に設けられた接合凹部５３ｂと係合可能な接合凸部５３ａが設けられている。
【００４８】
上記のように構成されるカバー半体５１ａの切欠部５２を挟んだ接合面に設けられた接合凸部５３ａと接合凹部５３ｂと、カバー半体５１ｂの切欠部５２を挟んだ接合面に設けられた接合凹部５３ｂと接合凸部５３ａとを係合させて両カバー半体５１ａ，５１ｂを接合することができる。
【００４９】
また、接合されたカバー半体５１ａ，５１ｂは、カバー半体５１ａ，５１ｂに設けられた係止凹部５４がブラケット２０の上面に突設された係止突起２０ａに係合した状態（図７（ｂ）参照）で、貫通孔５５を貫通する固定ねじ５６をベース部２１に設けられたねじ孔２１ａに螺合して固定される。なお、切欠部５２の開口縁部には薄肉部５７が突設されている（図６（ｄ）参照）。
【００５０】
ベランダの出隅部に支柱１０を固定する場合は、図１０に示すように、ベランダ側のブラケット２０のベース部２１の１箇所のアンカー固定部に隙間が生じるので、隙間が生じるアンカーボルト２ａにステンレス鋼製のスペーサ用座金６０を介在してベース部２１を固定すればよい。
【００５１】
また、ベランダの入隅部に支柱１０を設置する場合は、図１１に示すように、ベランダ側のブラケット２０のベース部２１の３箇所のアンカー固定部に隙間が生じるので、隙間が生じる３本のアンカーボルト２ａにステンレス製のＬ字状ライナー６１を介在してベース部２１を固定すればよい。
【００５２】
次に、既存の支柱を撤去して新しい支柱に交換する支柱の固定手順について説明する。まず、既存の支柱を撤去して、手摺設置部１の内部に溜まっている水や錆汚れを取り除いた後、既存の支柱を撤去した後の穴をモルタルで埋め戻す。その後、所定の位置にドリルで穴を明け、ケミカルアンカーを使ってアンカーボルト２ａを手摺設置部１に固定する。
【００５３】
次に、スペーサ４０、スペーサ用座金６０やＬ字状ライナー６１を併用してブラケット２０をセットする。この場合、手摺設置部１の設置面の傾斜が７度を超える場合はスペーサ４０を使用する。また、手摺設置部１の設置面が傾斜しているときの出隅部は、スペーサ用座金６０を使ってレベル調整する。また、手摺設置部１の設置面が傾斜しているときの入隅部は、アンカーボルト２ａの挿通長孔６２とブラケット２０への固定ねじ６４の貫通孔６３を有するＬ字状ライナー６１を使ってレベル調整する。ブラケット２０の固定は、平座金３とばね座金４を介在してアンカーボルト２ａにナット５を螺合して固定する。
【００５４】
一方、所定長さに切断した支柱１０を準備し、支柱１０に補強部材１２を嵌挿し、補強部材１２の下端部を支柱１０の下端より突出させる。
【００５５】
支柱１０に嵌挿固定された補強部材１２がブラケット２０の支柱挿入壁２２の壁部２２ｂと挟持壁２３と直交するように支柱１０をブラケット２０の支柱挿入部２４内に挿入し、支柱１０の高さを調整して高さ固定用ねじ２６の先端部を支柱１０の側面に締め込む。その後、角度調整用ねじ孔２７ａ，２７ｂに螺挿される一対の角度調整用ボルト２８を進退移動させて支柱１０の下端部より突出する補強部材１２の側面に当接して支柱１０の角度を調整して鉛直状態に固定する。
【００５６】
支柱１０の高さ調整と角度調整を行った後、挟持壁２３の外側面を包囲するＵ字ボルト３０ａの両端のねじ部３０ｃを、支柱挿入壁２２の壁部２２ｂに設けられた貫通孔２２ｃに貫通し、その突出部に座金３２を介して締結用のナット３１を螺合して締め付ける。この締付けにより挟持壁２３が支柱挿入壁２２側に移動して、支柱１０の下端部が挟持固定される。
【００５７】
次に、カバー半体５１ａ，５１ｂをブラケット２０の両側から移動し、カバー半体５１ａ，５１ｂの接合凸部５３ａと接合凹部５３ｂとを係合させてカバー半体５１ａ，５１ｂを接合すると共に、ブラケット２０の上面に突設された係止突起２０ａに係止凹部５４を係合させる。そして、カバー半体５１ａ，５１ｂに設けられた貫通孔５５を貫通する固定ねじ５６をブラケット２０のベース部２１に設けられたねじ孔２１ａに螺合して固定する。
【００５８】
上記のようにして、支柱１０を固定したブラケット２０の外方をカバー半体５１ａ，５１ｂにて構成されるカバー５０によって包囲する。この際、カバー半体５１ａ，５１ｂの切欠部５２内に支柱１０が位置するが、上述したように、支柱１０は、ブラケット２０の上部側に位置する高さ固定用ねじ２６を支点として下端側が変位するので、カバー５０の開口側においては支柱１０の変位を小さくすることができる。したがって、カバー５０の開口（具体的には、切欠部５２）をさほど大きくする必要はない。なお、切欠部５２の開口縁部には薄肉部５７が突設されているので、支柱１０の角度調整に伴う傾斜を薄肉部５７が吸収することができる。
【００５９】
なお、出隅部や入隅部においては、ブラケット２０の下部にスペーサ用座金６０やＬ字状ライナー６１が露呈するので、合成樹脂製のカバー５０の場合は、通常より下端が長いスカート部を設け、下端を切断加工して施工する。また、カバー５０がアルミ合金製の場合は、コーキングで隙間を埋める。
【００６０】
また、上記実施形態では、ブラケット２０のベース部２１における両側壁部２２ａより外側の辺部に、カバー５０を構成するカバー半体５１ａ，５１ｂを固定する固定ねじ５６のねじ孔２１ａを有するねじ受け部２１ｂを立設したが、図５Ａに示すように、ブラケット２０Ａのベース部２１Ａを厚くし、ベース部２１Ａの側面にねじ孔２１ａを設けてもよい。
【００６１】
このように構成することにより、ベース部２１Ａを厚くする分ブラケット２０Ａに剛性をもたせることができるので、支柱挿入壁２２及び挟持壁２３の高さを低くしてブラケット２０Ａの高さ寸法を小さくすることができる。なお、図５Ａにおいて、その他の部分は上記実施形態と同じであるので、同一部分には同一符号を付して説明は省略する。
【００６２】
また、上記実施形態では、支柱１０に強度をもたせるために、補強部材１２を用いているが、支柱自体に強度がある場合は、補強部材１２を用いなくてもよい。例えば、図１２（ａ），（ｂ），（ｃ）に示すように、支柱１０Ａを肉厚の中空状に形成し、角度調整用ねじ孔２７ａ，２７ｂに螺挿される一対の角度調整用ボルト２８を進退移動させて支柱１０Ａの下端側の側面に当接して支柱１０Ａの角度を調整して鉛直状態に固定することができる。なお、支柱１０Ａの下端を傾斜させて、支柱１０Ａが角度調整により傾斜した際に手摺設置部１に干渉するのを防止している。
【００６３】
なお、図１２（ａ），（ｂ），（ｃ）において、その他は上記実施形態と同じであるので、同一部分には同一符号を付して説明は省略する。
【００６４】
上記のように構成される実施形態の手摺支柱の固定構造によれば、挟持部材３０の締付けにより挟持壁２３を支柱挿入壁２２側に移動させて支柱の下端部を挟持固定することができるので、支柱１０，１０Ａに孔開け加工等を施すことなく、支柱１０，１０Ａを強固かつ容易に固定することができる。
【００６５】
また、挟持壁２３を外側面が膨隆する半円柱状に形成し、挟持部材３０を、挟持壁の外側面に対応した円弧部３０ｂを有するＵ字ボルト３０ａにて形成し、Ｕ字ボルト３０ａの両端部に設けられたねじ部３０ｃにナット３１を螺合することで、更に確実に支柱１０，１０Ａの下端部を挟持固定することができると共に、支柱１０，１０Ａに加わる荷重を挟持壁２３の外側面に対応した円弧部３０ｂによって分散させて固定することができ、支柱１０の変形を防止することができる。
【００６６】
また、支柱挿入壁２２と挟持壁２３との間に挿入される支柱１０，１０Ａを上下移動して高さ調整を行った後、高さ固定用ねじ孔２５に螺挿される高さ固定用ねじ２６を支柱１０，１０Ａの側面に当接して支柱を固定することにより、支柱１０，１０Ａの高さ調整を容易にすることができる。
【００６７】
また、支柱１０，１０Ａは、ブラケット２０の上部側に位置する高さ固定用ねじ２６を支点として下端側が変位するので、支柱１０，１０Ａの挿入部における上部の移動を最小限にして支柱１０，１０Ａの角度を調整して支柱１０，１０Ａを鉛直状に設置することができる。
【００６８】
中空状の支柱１０の場合は、支柱１０の中空部に補強部材１２を嵌挿固定することにより、中空状の支柱１０に強度をもたせることができると共に、支柱１０に圧痕を残すことなく支柱１０の角度を調整して支柱１０を鉛直状に設置できる。
【００６９】
また、手摺設置部１の上面の傾斜角度（水切り角度、水勾配）が大きい場合は、ブラケット２０と手摺設置部１との間に傾斜面４１を有するスペーサ４０を介在することにより、手摺設置部１の上面の傾斜に対応して支柱１０を鉛直状に設置することができる。
【００７０】
また、カバー半体５１ａ，５１ｂ同士を接合させ、固定ねじ５６をカバー半体５１ａ，５１ｂに設けられた貫通孔５５を介してベース部２１に設けられたねじ孔２１ａに螺合して、ブラケット２０に取り付けることで、支柱固定後に容易にブラケット２０の外部をカバー５０によって覆うことができる。
【符号の説明】
【００７１】
１  手摺設置部
２  アンカー
２ａ  アンカーボルト
１０，１０Ａ  支柱
１１  嵌合凹溝
１２  補強部材
２０，２０Ａ  ブラケット
２１，２１Ａ  ベース部
２１ａ  ねじ孔
２２  支柱挿入壁
２２ｂ  壁部
２２ｃ  貫通孔
２３  挟持壁
２４  支柱挿入部
２５  高さ固定用ねじ孔
２６  支柱高さ固定用ねじ
２７ａ，２７ｂ  角度調整用ねじ孔
２８  角度調整用ボルト
３０  挟持部材
３０ａ  Ｕ字ボルト
３０ｂ  円弧部
３０ｃ  ねじ部
３１  締結用ナット
４０  スペーサ
４１  傾斜面
５０  カバー
５１ａ，５１ｂ  カバー半体
５２  切欠部
５３ａ  接合凸部
５３ｂ  接合凹部
５４  係止凹部
５５  貫通孔
５６  固定ねじ
【図１】
0006406668.tif 000002
【図２】
0006406668.tif 000003
【図３】
0006406668.tif 000004
【図４】
0006406668.tif 000005
【図５】
0006406668.tif 000006
【図５Ａ】
0006406668.tif 000007
【図６】
0006406668.tif 000008
【図７】
0006406668.tif 000009
【図８】
0006406668.tif 000010
【図９】
0006406668.tif 000011
【図１０】
0006406668.tif 000012
【図１１】
0006406668.tif 000013
【図１２】
0006406668.tif 000014